(57)【特許請求の範囲】
【請求項１】
灌水チューブを土壌表面に敷設し、該土壌表面が被覆材で被覆され、該灌水チューブを介して、作物収穫後に、クロルピクリンと、陰イオン界面活性剤としてドデシルベンゼンスルフォン酸金属塩と非イオン界面活性剤としてポリオキシアルキレンアリルフェニルエーテルを組み合わせた界面活性剤を配合したクロルピクリン乳剤として、水と共に農薬を土壌に散布する農薬散布方法であって、該クロルピクリン乳剤を該灌水チューブの体積の２倍以上の水に希釈し、灌水チューブを介して散布後、該灌水チューブを介して水を散布し、散布液総量で該灌水チューブの体積の４．５倍以上で散布することを特徴とする農薬散布方法。
【請求項２】
栽培用施設内に灌水チューブを敷設することを特徴とする請求項１に記載の農薬散布方法。
【請求項３】
栽培用施設を閉鎖状態にして農薬を散布する請求項２に記載の農薬散布方法。
【請求項４】
農薬を、液肥混入機を用いて、水と共に灌水チューブを介して散布する請求項１乃至３のいずれか１項に記載の農薬散布方法。
【発明の詳細な説明】
【０００１】
【発明の属する技術分野】
本発明は、農薬の散布方法に関し、特に作物収穫後の栽培植物の除草（除去）及び土壌中の有害生物防除に好適な散布方法に関するものである。
【０００２】
【従来の技術】
トンネル栽培、ビニールハウスやガラス温室等の施設栽培において、栽培した植物、例えばナス、トマト、キュウリ、ピーマン、イチゴ、メロン、スイカ、カボチャ等の果菜類、キク、カーネーション等の花卉類等、について作物収穫後に収穫部分以外の残存部分がある場合、その残存部分を施設から除去する必要がある。この除去法として、作物収穫後の栽培植物の葉面等に除草剤を投与して該植物を枯死させた後乾燥し、施設より除去する方法が知られている。
また、農作物に被害を及ぼす土壌中の有害生物を防除するために従来は▲１▼水和剤や乳剤を水に希釈してジョーロや散布機等で散布して土壌と混和する方法、▲２▼粒剤や粉剤を土壌表面に散布して土壌と混和する方法、▲３▼蒸気圧の高い農薬活性成分をそのまま、あるいは溶剤などで希釈した油剤を畑を耕起し、整地する際、土壌に注入して使用する方法などがある。蒸気圧の高い農薬活性成分を土壌中の有害生物の防除に使用する場合は、処理専用機械で農薬活性成分を土壌中に注入した後、一般的に効力を高めたり刺激臭を抑えたりするために土壌表面に散水して水封や鎮圧、或いは農業用フィルム、例えば、ポリエチレン、ポリ塩化ビニルなどで被覆して大気中への農薬活性成分の拡散を抑制する方法が実施されている。しかし、土壌に農薬を処理するさいに特殊な処理専用機を準備しなければならないなど煩雑であり、温室内のような空気がこもる条件では使用しにくい面がある、また農薬活性成分の揮散、フィルムの透過のために有害生物の防除効率も低減することになる。最近では揮発性のある農薬活性成分を水溶性のフィルムに包装して土壌中に埋めたり、土壌表面に置いて被覆材で覆い使用する方法があるが、コストが高いなどの問題点がある。灌水チューブを用いた方法としては農薬を水に稀釈してブドウに茎葉散布する方法や土壌に散布する方法などは知られているが、農薬を多く必要とすることから一般的には普及されていない。
【０００３】
【発明が解決しようとする課題】
しかし、除草剤を作物収穫後の栽培植物の除去に使用する場合には、その土壌残留を避けるため、分解されやすい除草剤を除き、作物収穫後の栽培植物の葉面等に直接投与する必要があり、手間がかかっていた。
農薬活性成分をそのままあるいは該農薬活性成分に通常用いられる補助剤を配合した農薬組成物（以下、併せて農薬と記す）を使用して、特にトンネル栽培、ビニールハウスやガラス温室等の人や大型機械の入りにくい施設園芸等で、作物収穫後の栽培植物の簡便な除去及び雑草、病害虫の防除に有効かつ簡便に効率的に農薬を散布する方法の開発が本発明の課題である。
【０００４】
【課題を解決するための手段】
発明者らは前記したような課題を満足させられる技術を鋭意研究した結果、本発明に至ったものである。
即ち、本発明は、
【０００５】
（１）  灌水チューブを土壌表面又は土壌中に敷設し、作物収穫後に該灌水チューブを介して、農薬活性成分又は農薬活性成分に補助剤を配合した農薬組成物として、農薬を散布することを特徴とする農薬散布方法、
（２）  栽培用施設内に灌水チューブを敷設することを特徴とする（１）に記載の農薬散布方法、
（３）  灌水チューブ敷設後の土壌表面が被覆材で被覆されている（２）又は（３）に記載の農薬散布方法。
（４）  栽培用施設を密閉状態にして農薬を散布する（１）乃至（３）のいずれか１項に記載の農薬散布方法、
（５）  農薬を土壌に散布する（１）乃至（４）のいずれかに記載の農薬散布方法、
（６）  水に稀釈した農薬を、液肥混入機を用いて、灌水チューブを介して散布する（１）乃至（５）に記載の農薬散布方法、
（７）  水に稀釈した農薬を灌水チューブを介して散布後、該灌水チューブを介して水を散布する（１）乃至（６）に記載の農薬散布方法、
（８）  水に稀釈した農薬が５倍から１０００倍に水で稀釈した農薬である（６）又は（７）に１項に記載の農薬散布方法、
【０００６】
（９）  農薬活性成分が除草性の農薬活性成分である（１）乃至（８）のいずれか１項に記載の農薬散布方法、
（１０）除草性の農薬活性成分が殺虫及び／又は殺菌効果も有する（９）に記載の農薬散布方法、
（１１）農薬活性成分が揮発性の農薬活性成分である（９）又は（１０）に記載の農薬散布方法、
（１２）揮発性の農薬活性成分が沸点４０℃以上でかつ蒸気圧が０．５ｍｍＨｇ／２０℃以上である（１１）に記載の農薬散布方法、
（１３）農薬活性成分がクロルピクリン及び／又はＤ−Ｄである（１）乃至（１２）のいずれか１項に記載の農薬散布方法、
（１４）（１）乃至（１３）のいずれか１項に記載の農薬散布方法に使用するためのクロルピクリン乳剤、
（１５）クロルピクリンの分解防止剤を含有する（１４）に記載のクロルピクリン乳剤、
（１６）クロルピクリンの分解防止剤がエポキシ化植物油である（１５）に記載のクロルピクリン乳剤、
に関する。
【０００７】
【発明の実施の形態】
本発明の農薬散布方法は、灌水チューブを土壌表面又は土壌中に敷設し、必要に応じて土壌表面を被覆剤で被覆し、作物収穫後に、該灌水チューブを介して、農薬活性成分又は農薬活性成分に補助剤を配合した農薬組成物として、農薬を散布することを特徴とする。
【０００８】
本発明で使用する灌水チューブとしては、例えば市販されている灌水チューブ（散水チューブ）の他に側面に穴を有するチューブであればいずれも使用可能であり、例えば、粉剤、粒剤、肥料などの散布に用いられる多口ホースなどが使用出来るが、これらに限定されない。また穴があいていないチューブ、例えば水道のホース、塩化ビニルの水道パイプ、雨樋のパイプなどに穴を開けて用いることもできる。
【０００９】
灌水チューブの素材は、使用する農薬や土壌水分などとの接触および温度などによって変質しなければポリエチレン、ポリ塩化ビニル、テフロン（Ｒ）樹脂、シリコン樹脂、ポリプロピレン、ナイロン、ポリプロピレンなどの１種または２種以上の共重合物および混合物などからなる灌水チューブを使用してもよく、またこれらの素材には限定されない。灌水チューブの太さは特に限定されないが直径１ｍｍ〜３００ｍｍ程度がよい。灌水チューブの穴の大きさは、大きすぎると水の量が多く必要になったり、小さすぎると農薬を処理するのに時間が長く必要になったりするため、穴の大きさは直径０．１μｍ〜３０ｍｍ、好ましくは１μｍ〜１０ｍｍ程度が適している。穴はチューブの側面に１０〜２００ｃｍの等間隔またはランダムに一列または二列あるいは周全面に開いていれば良いが、これらに限定されるものではない。
【００１０】
本発明で灌水チューブによる灌水方式としては、例えば点滴型、噴霧型、多孔質、散水型などあるが、散布巾や圃場の形状などで適宜選択される。例えば灌水チューブとしてはエバフローＡ、スーパーエバフローＡ−１００、エバフローＭ（噴霧型）、エバフローＤ（点滴型）、エバフローＳ（散水型）、エバフローＫＷ（片側散水型）、KIRICO BIG HOLE SIDE SPRAAY、キリコＡ型、キリコ（マルチ）型、KIRIKO H型（ハウス用）、キリコＲ型、キリコＫＨ型、キリコＨ型、片側散水型、キリコＲ型、強力Ｐ．Ｅ灌水チューブ、チャピン点滴チューブ、（以上三井化学プラスチック（株）社製の散水チューブ）、スミサンスイマルチ（住友化学工業（株）製）、片面×穴式灌水チューブ（日新化学工業（株）製）、セフティ灌水チューブ又は灌水パワーＳチューブ（伊藤忠サンプラス（株）社製）などが使用できるがこれらに限定されない。
【００１１】
本発明において灌水チューブの敷設場所は、土壌表面又は土壌中であれば特に制限ないが、栽培用施設内の土壌表面又は土壌中が好ましい。栽培用施設としては、例えばトンネル栽培用のトンネル、ビニールハウス、ガラス温室などがあげられる。灌水チューブ敷設後の土壌表面は、必要に応じて被覆材で被覆される。被覆材で被覆される場合、植栽すべき部分の被覆を除去後に植物が植えられ、育てられる。栽培用施設では、土壌表面を被覆材で被覆することが多い。本発明では、作物収穫後に農薬を散布するが、農薬活性成分として揮発性の農薬活性成分を使用する場合、除草効果の向上、病害虫に対する防除効果の向上を考慮すると、栽培用施設を閉鎖状態にして農薬を散布することが好ましい。
【００１２】
本発明で使用する被覆材としては、ガスバリア性のあるフィルムが好ましい。中でも蒸気圧の高い農薬を処理するとき使用できる被覆フィルムはガスバリア性があれば特に限定されない。ガスバリア性はフィルム自体の性質によって異なり、その厚さによってもまた数種類の張り合わせなどでも異なる。土壌を被覆するための強度、経済性などを考慮するのは当然であるが、ガスバリア性は高いほど良く、酸素ガス透過度（ガス透過度の測定条件および測定方法は２５℃、相対湿度５０％でＡＳＴＭＤ１４３４−６６に準じ、フィルム厚については測定したフィルムの厚さを基準に反比例するとして補正計算する）が通常８０００ｃｃ／平方メートル・ｈｒ・ａｔｍ以下、好ましくは４０００ｃｃ／平方メートル・ｈｒ・ａｔｍ以下である。フィルムの材質としては例えばポリエチレンテレフタレート、ポリアミド樹脂、ナイロン、ポリ塩化ビニリデン、ポリ塩化ビニル、ポリアクリロニトリル、ポリビニルアルコール、エチレン・ビニルアルコール共重合物、ポリエチレン、エチレン酢酸ビニル重合物、ポリプロピレンなどの１種または２種類以上の共重合物および混合物或いは貼り合わせなどからなるフィルムが選択されるが、これらに限定されるものではない。フィルムの厚さは、酸素透過度とも関連し、ポリエチレンや軟質塩化ビニルなどの単層フィルムのガスバリア性があまり高くないフィルムは、ガス透過性がほぼ厚さに反比例することを目安に厚くすることによってガスバリア性を高める必要がある。また、使用する農薬や土壌水分などとの接触によって変質しガスバリア性が失われたりしにくい、取り扱いやすいフィルム、経済的にも優れているフィルム等を使う必要があり、厚さは素材にもよるが通常１０μｍ〜５００μｍ、好ましくは１０μｍ〜２００μｍ程度が適している。
【００１３】
本発明では、農薬を土壌に散布する。散布する農薬活性成分は、雑草を防除する活性を有する農薬、すなわち除草性の農薬活性成分、が好ましく、殺虫及び／又は殺菌効果をも併有する農薬活性成分がさらに好ましい。また、土壌中での残留性を考慮すると、揮発性の農薬活性成分が残留性に乏しい点で好ましい。
【００１４】
本発明の農薬散布方法において適用しうる農薬活性成分としては、例えばＤ−Ｄ（１，３−ジクロロプロペン）、ＤＢＣＰ（１，２−ジブロモ−３−クロロプロパン）、ＤＣＩＰ（ジクロロジイソプロピルエーテル）、ＭＩＴＣ（メチルイソチオシアネート）、クロルピクリン（トリクロロニトロメタン）、エチレンジブロマイド、ヨウ化メチル、ジメチルジクロルビニルホスフェート、二硫化炭素、ダゾメット（テトラヒドロ−３,５−ジメチル−１,３,５−チアジアジン−２−チオン）、ＮＡＣ（１−ナフチル−Ｎ−メチルカルバアート）、ＭＴＭＣ（メタトリル−Ｎ−メチルカーバメート）、ＭＩＰＣ（２−イソプロピルフェニル−Ｎ−メチルカーバメート）、ＢＰＭＣ（２−セカンダリーブチルフェニル−Ｎ−メチルカーバメート）、ＸＭＣ（３，５−キシリル−Ｎ−メチルカーバメート）、カルボスルファン〔２，３−ジヒドロ−２，２−ジメチルベンゾフラン−７−イル（ジブチルアミノチオ）メチルカルバマート］、フラチオカルブ（ブチル−２，３−ジヒドロ−２，２−ジメチルベンゾフラン−７−イル−Ｎ，Ｎ'−ジメチル−Ｎ，Ｎ−チオジカルバマート）、イミダクロブリド［１−（６−クロロ−３−ピリジルメチル）−Ｎ−ニトロイミダゾリジン−２−イリデンアミン］、アセタミプリド｛（Ｅ）−Ｎ１−〔（６−クロロ−３−ピリジル）メチル〕−Ｎ２−シアノ−Ｎ１−メチルアセトアミジン｝、ニチンピラム［（Ｅ）−Ｎ−（６−クロロ−３−ピリジルメチル）−Ｎ−エチル−Ｎ−メチル−Ｎ−２−ニトロビニリデンジアミン］、フェプロニル［（±）−５−アミノ−（２，６−ジクロロ−α，α，α−トリフルオロ−ｐ−トルイル）−４−トリフルオロメチルスルフィニルピラゾール−３−カルボニルトリル］、ＭＥＰ［Ｏ，Ｏ−ジメチル−Ｏ−（メチル−４−ニトロフェニル）チオフォスフェート］、ダイアジノン［（２−イソプロピル−４−メチルピリミジル−６）−ジエチルチオフォスフェート］、ベンスタップ｛Ｓ，Ｓ'−［２−（ジメチルアミノ）トリメチレン］ビス−ベンゼンチオスルホネート｝、ベンフラカルブ［エチル−Ｎ−（２、３−ジヒドロ−２、２−ジメチルベンゾフラン−７−イルオキシカルボニル（メチル）アミノチオ）−Ｎ−イソプロピル−β−アラニナート］、メタラキシル［メチル−Ｎ−（２−メトキシアセチル）−Ｎ−（２,６−キシリル）−ＤＬ−アラニナート］、メソミル｛Ｓ−メチル−Ｎ−〔（メチルカルバモイル）オキシ〕チオアセトイミデート｝、ビラクロホス｛（ＲＳ）−〔Ｏ−１−（４−クロロフェニル）ピラゾール−４−イル−Ｏ−エチル−Ｓ−プロピル−ホスホロチオアート〕｝、エトプロホス｛Ｏ−エチル−Ｓ，Ｓ−ジプロピル−ホスホロジオアート｝、オキサミル｛メチル−Ｎ'、Ｎ'−ジメチル−Ｎ−〔（メチルカルバモイル）オキシ〕−１−チオオキサムイミデード｝、プロメトリン［２−メチルチオ−４，６−ビス（イソプロピルアミノ）−Ｓ−トリアジン］、ベンスルフロンメチル［メチル−α−（４，６−ジメトキシピリミジン−２−イルカルバモイルスルファモイル）−Ｏ−トルアート］、トリフルラリン（α，α，α−トリフルオロ−２，６−ジニトロ−Ｎ，Ｎ−ジプロピル−ｐ−トルイジン）、イマゾスルフロン｛１−（２−クロロイミダ���［１，２−ａ］ピリジン−３−イルスルホニル）−３−（４，６−ジメトキシピリミジン−２−イル）尿素｝、カフェンストロール（Ｎ，Ｎ−ジエチル−３−メシチルスルホニル−１Ｈ−１，２，４−トリアゾール−１−カルボキサミド）、グリホサートイソプロピルアミン塩［イソプロピルアンモニウム−Ｎ−（ホスホノメチル）グリシナート］、キルパ−（ナトリウム  メチルジチオカルバマ−ト）、ＮＣＳ（アンモニウム  メチルジチオカルバマ−ト）などが挙げられる。これらの中でメチルジチオカルバマ−トが好ましい。農薬活性成分は上記に限定されるものではなく、また、これらは１種または２種以上を任意に併用しても良い。
【００１５】
なお、農薬活性成分は散布後の拡散性、土壌中での残留性の観点から、揮発性の農薬活性成分、具体的には沸点が４０℃以上でかつ蒸気圧が０．５ｍｍＨｇ／２０℃以上である農薬活性成分が拡散性が良好かつ土壌中での残留性に乏しい点で好ましい。このような農薬活性成分としてはクロルピクリンやＤ−Ｄなどが例示できる。また、分解性の良好なキルパ−（ナトリウム  メチルジチオカルバマ−ト）やＮＣＳ（アンモニウム  メチルジチオカルバマ−ト）も、同様に好ましい。
【００１６】
本発明の農薬散布方法では農薬活性成分をそのまま使用しても良いが、農薬に通常用いられる補助剤を添加し農薬組成物としても良い。農薬に通常用いられる補助剤としては、有機溶剤、水、キャリア、界面活性剤、安定剤などを例示することができるが、これらに限定されるものではない。また、農薬組成物は、乳剤、ＥＷ剤、水性乳剤、固形乳剤、水和剤、フロアブル剤、油性懸濁剤（オイルに農薬成分を分散させたオイルベースのフロアブル剤）、ドライフロアブル剤（ＷＤＧ）、マイクロカプセル剤のように製剤化した農薬組成物としても良く、これらの農薬組成物で水を含有しない農薬組成物を水溶性フィルムで包装した農薬包装体としても良い。これらのように製剤化した農薬組成物は取り扱いが容易であり、より簡便に本発明の農薬散布方法を適用することが可能となる。また、農薬組成物としては水に稀釈した時の水中安定性や灌水チューブの目詰まりが起こりにくいなどの点から乳剤、ＥＷ（emulsion in water)剤、水性乳剤の他に水溶性のキャリアを用いた固形乳剤などが好ましい。農薬組成物として固形乳剤、水和剤、フロアブル剤、ＷＤＧなどを用いる場合、固形の農薬活性成分や水に不溶なキャリアなどは灌水チューブへの目詰まりを防止するためにはできるだけ細かい方がよく、具体的には農薬組成物の平均粒径が１００μｍ以下、好ましくは２０μｍ以下である。農薬組成物の農薬活性成分の含有量は、その農薬活性成分の性能や物理性によって配慮されなければならないが０．１〜９９％（重量）程度が適当である。クロルピクリンを乳剤とする場合、クロルピクリンの含量は農薬組成物全体量の５％以上が好ましい。
【００１７】
本発明で有機溶剤は混合・溶解したとき油状溶液の粘度を低下させたり、固体の活性成分を溶解したりするために用いる。本発明で使用しうる有機溶剤の具体例としては、例えばメチルアルコール、エチルアルコール、キシレン、Ｎ−メチルピロリドン、アジピン酸ジオクチル、アジピン酸ジイソデシル、アジピン酸ジイソノニル、フタル酸ジイソデシル、フタル酸ジラウリル、フタル酸ジイソノニル、リン酸トリブチル、リン酸トリ−２−エチルヘキシル、日石ハイゾールＳＡＳ−２９６｛日本石油化学（株）製｝、二塩基酸エステル｛デュポン（株）製｝としてのコハク酸ジメチル、グルタル酸ジメチル、アジピン酸ジメチルなど混合溶液、脂肪族あるいは芳香族の石油系溶剤、アルキルベンゼン、メチルナフタレン等の有機溶剤、コーン油、ゴマ油、綿実油等の動植物油などが挙げられ、これらを１種または２種以上使用するがこれらに限定されるものではなく、使用量も活性成分の物理性、防除効力等を考慮して任意の割合で使用することができる。
【００１８】
農薬組成物の1成分として使用する界面活性剤は農薬活性成分を乳化や分散させるために使用されるが、本発明で使用しうる界面活性剤の具体例として例えば、ポリオキシエチレンとポリオキシエチレンのブロックポリマー、ポリオキシエチレンオクチルエーテル、ポリオキシエチレンドデシルエーテル、ポリオキシエチレンオレイルエステル、ポリオキシエチレンノニルフェニルエーテル、ポリオキシエチレンソルビタンモノオレート等の非イオン界面活性剤、ドデシルベンゼンスルフォン酸金属塩（以下、Ｎａ塩、Ｃａ塩等のアルカリ金属塩、アルカリ土類金属を示す）、オレイン酸ナトリウム等の脂肪酸の金属塩、ジアルキルスルホコハク酸エステル、ナフタレンスルホン酸重縮合物の金属塩、アルキルナフタレンスルホン酸金属塩、ポリカルボン酸金属塩、ポリオキシエチレンアルキルフェニルエーテルサルフェート金属塩、特殊ポリカルボン酸型高分子界面活性剤等の陰イオン界面活性剤などが挙げられる。これらは１種あるいは２種以上を、使用する活性成分や溶剤に合わせて使用できるが、これらに限定されるものではない。界面活性剤を用いる場合、農薬活性成分１重量部に対し、界面活性剤を０.０１重量部以上用いるのが好ましい。
【００１９】
農薬組成物の1成分として使用してもよい鉱物質などのキャリアは農薬活性成分を適度の濃度に稀釈するための増量剤、固体の原体の粉砕補助剤、液体原体の吸着剤などとして使用される。使用しうるキャリアの具体例としては例えばクレー、タルク、ホワイトカーボン、珪藻土、塩化カリウム、尿素、硫安、可溶化澱粉などが挙げられる。通常、これらを１種または２種以上を併用できるが、これらに限定されない。
【００２０】
農薬組成物の１成分として使用してもよい安定剤は主に農薬活性成分の分解を防止するために使用される。本発明で使用しうる安定剤としては、例えばブチルハイドロキシトルエン、ブチル化ヒドロキシアニソールのような酸化防止剤、エポキシ化グリセライド〔例えばニューカルゲン８００｛エポキシ化大豆油、竹本油脂（株）製｝〕やエポキシ化アマニ油等のエポキシ化植物油、ジイソプロピルホスフェート、ソーダライム、酸化マグネシウム、酸化アルミニウム、炭酸ナトリウムなどが挙げられ、これらを１種または２種以上を使用できるが、これらに限定されるものではない。
【００２１】
水溶性フィルムは水に溶解し、一定の強度を持ち、使用する農薬組成物を透過したり、使用する農薬組成物に溶けたりしないフィルムなら何でもよく、適用する農薬組成物の性質に合わせて選択すれば良い。通常、ポリビニルアルコール、カルボキシメチルセルロース、ヒドロキシエチルセルロース、ポリビニルピロリドン、ポリアクリル酸およびその塩、デンプン、ゼラチン等の１種または２種以上からなるフィルムから選択される。さらに、フィルムの厚さも農薬組成物の種類やフィルムの材質によって実用に供し得る範囲で選択され、特に限定されないが、例えば耐薬品性、強度、経済性等のよいポリビニルアルコールを使用する場合、５μｍ以上がよく、経済性や強度から特に好ましくは１０μｍ〜８０μｍ程度がよい。この他に水溶性フィルムを外装フィルムに弱接着した、エコピール｛共同紙工（株）製｝などの水溶性フィルム一体化フィルムを用いてもよい。
【００２２】
本発明において、農薬組成物を水溶性フィルムで包装した１個の農薬包装体の重量は５０ｇ〜２０ｋｇで好ましくは１００ｇ〜１０ｋｇ程度がよい。また、同時に加工時の経済性も重視する必要があり、円筒、球形、角袋状等が好ましい。但し、これらの形状に限定されるわけではない。尚、水溶性フィルムは湿気に弱いのでこのような包装体は１個ずつあるいは数個まとめて更に防湿性が高い包材で包装したほうがよい。また、必要に応じて包装体を防湿包装材で包装する際に減圧して包装してもよい。防湿包装材としてはポリエチレン、ポリ塩化ビニル、ポリエチレンテレフタレート、ポリビニルアルコール、ポリプロピレン、エチレン・ビニルアルコール共重合樹脂、ナイロン、アルミニウム箔等のフィルムの他に、アルミニウムやシリカを蒸着したフィルムなどもよくこれらを１種または２種以上の共重合物および混合物或いは貼り合わせなどが挙げられる。
【００２３】
本発明では油剤、乳剤、ＥＷ剤、固形乳剤などの水に乳化あるいは水和剤、フロアブル剤、マイクロカプセル剤などの水に懸濁できる農薬が使用できる。それらの製造方法としては、一般的な方法、例えば農薬活性成分と界面活性剤に必要に応じて有機溶剤や安定剤を添加して充分に混合して乳剤を得ることができる。また、この乳剤を水溶性の粉末に含浸させて固形乳剤を作ることも可能である
【００２４】
以下、本発明の散布方法をさらに詳細に説明する。
本発明の散布方法では、例えば土壌表面または土壌中に敷設された灌水チューブを介して農薬の散布が行われるが、灌水チューブの敷設は、農薬の散布時のみに敷設してもよいが、作物の作付け前に敷設し収穫後まで敷設しつづけると作物の栽培を通じて本発明の農薬散布ができ、さらに急な病害虫の発生に対しても迅速に対応することができるので好ましい。また、作物の収穫後においても灌水チューブを撤去することは必ずしも必要ではなく、次の作物のために常に灌水チューブを敷設した対応も取りうることができる。
【００２５】
次に、灌水チューブの敷設方法を説明する。灌水チューブは土壌表面または土壌中に農薬がまんべんなく散布できるか、作物の植え付けた部位に散布できるか、或いは作物の植え付けた部位以外に散布できるように敷設できれば、特に限定はない。
【００２６】
灌水チューブを土壌表面に敷設する場合、散布する面積と形状、対象病害虫、土壌中の水分、散布時の地温・気温、農薬活性成分の灌水チューブからの有効拡散距離、農薬の使用量、農薬の拡散速度、散布時間、投入速度、散布に水を用いる場合の水の圧力などを考慮して灌水チューブを敷設すればよい。灌水チューブは直列にあるいは分岐管を用いて並列に敷設してもよい。また敷設する間隔は、平らな土壌表面の場合は農薬がほぼ均一に散布できるように灌水チューブの間隔は均等に敷設することが好ましく、散布する農薬などによって異なるが灌水チューブの間隔は通常５０〜１０００ｃｍで、好ましくは９０〜３００ｃｍである。畝の場合は、灌水チューブを中央部あるいは作物の作付け付近に敷設する方が好ましい。また被覆畦内処理（マルチ畦内処理）の場合は同様に形状によって中央部や作物の植え付け付近に灌水チューブを敷設する方が好ましい。一方、灌水チューブを土壌中に敷設する場合は、作物の種類や土壌病害虫の発生しやすい深さに敷設することが好ましい。また、灌水チューブを埋設する場合は、土壌の質によっては灌水チューブの穴を塞ぐ可能性があるため、灌水チューブの穴の部分やチューブ全体を布や紙で巻いたり、藁、砂などで保護し穴の目詰まりを防止を必要とする場合もある。
【００２７】
本発明で農薬活性成分や農薬組成物等の農薬の散布方法は、例えば農薬の蒸気圧が高い場合は農薬を加熱もしくはエアーレェイションしてガス化又は噴霧器でミスト状にして灌水チューブにエアーと共に吹き込むか、農薬をそのままあるいは水に稀釈した後水圧を利用した水流ポンプ（アスピレター、液体肥料混入機など）で水を流しながら農薬を吸引して水と共に土壌または植物の茎葉部に処理するか、農薬をそのままあるいは水に稀釈した後土壌消毒機などのポンプを用いて灌水チューブに注入しながら水と共に土壌または植物の茎葉部に処理するか、農薬をそのままあるいは農薬を水に稀釈した後、液体肥料混入機、動力噴霧機、手動噴霧機、土壌消毒機などについたポンプを用いて灌水チューブに注入して土壌または植物の茎葉部に処理する方法があるがこれらに限定されない。液体肥料混入機としては例えば、レナウン液肥混入機ＨＭ−Ｓ型、スミチャージ４０、スミチャージ５０、スミジェット｛住友化学工業（株）製｝、ドサロン｛輸入元（株）サンホープ｝、ドーズマチックス・プラス｛輸入元トスク（株）｝、ネオブレンダー、高倍率ネオブレンダー、低倍率ネオブレンダー、スパーネオブレンダー｛（株）ネッツ製｝、定置式液肥混入機ＲＨＭ−２型、簡易式液肥混入機ＲＨＳ型、肩掛式液肥混入機ＴＨＭ−３型｛マルサ工業（株）製｝などがあるがこれらに限定されない。
【００２８】
本発明の農薬散布方法は、水に稀釈した農薬を、液肥混入機を用いて、灌水チューブを介して散布する。農薬を水で稀釈して用いる場合は、農薬の種類や土壌の状態を配慮して任意に稀釈濃度を決定すればよい。具体的には２倍から１００００００倍程度で好ましくは５倍から１０００倍に水で稀釈するか、又は平方メートル当たり１００ｍｌから１００リットル或いは、農薬を敷設した灌水チューブの体積（灌水チューブの円周と長さから理論体積量計算）の１．５倍から１００００倍好ましくは２倍から１００倍程度になるように稀釈して散布してもよい。更に、農薬散布に使用した液肥混入機や灌水チューブなどの道具内に農薬の滞留を防止するために水を通してもよい。農薬の散布時間は、農薬を敷設した灌水チューブの体積、灌水チューブの中にある穴の大きさや数、散布する圧力等によって様々であるが、農薬の滞留を防止するための水の散布も含めて４分間／９０平方メ−トル以上が好ましい。灌水チューブの敷設方法は畑地の形状や灌水チューブの性能などによりバルブ操作や水圧などの調節で均一散布が困難な場合は、灌水チューブの一端から注入するだけでなく、灌水チューブの両端や中央部などの中間からも注入して土壌に処理しても良い。また、農薬を、液肥混入機を用いて、水と共に灌水チューブを介して散布してもよい。水の量は、農薬に対し上記と同じ倍率の量が適切である。
【００２９】
灌水チューブを介して農薬を散布後、該灌水チューブを介して水を散布するほうが好ましい。水の散布量は、灌水チューブの体積（灌水チューブの円周と長さから理論体積量計算）の１．５倍から１００００倍、好ましくは２倍から１００倍程度である。
【００３０】
農薬の散布時期は、除草や土壌消毒を目的とする作物収穫後の散布が好ましい。作物収穫後に除草や土壌消毒或いは施設内の有害生物防除を目的として農薬散布を行う場合、除草活性を併せ持つ土壌燻蒸剤を用いるのが好ましいが、除草活性のない土壌燻蒸剤であっても除草剤との混合剤を散布すればよく、また、土壌燻蒸剤と除草剤を別々に散布することもできる。作物収穫後の散布に好適な農薬は除草活性と土壌燻蒸効果を併せ持つクロルピクリンが挙げられる。
【００３１】
本発明の農薬散布方法は、クロルピクリンの如き土壌燻蒸剤の散布に特に好適な方法である。土壌燻蒸剤のクロルピクリンは畑に作物を作付ける前、あるいは雑草や作物を収穫した後の除草と土壌消毒及び施設内の有害生物防除のために処理をすることができる。本発明の方法では農薬をそのまま或いは水に稀釈したものを灌水チューブに注入し拡散させるだけで土壌燻蒸ができるため非常に簡便で省力的になり、大型機械が入りにくく、人手作業に頼る温室などに適している。更に農薬のロスが少ないので従来の方法より薬量も少なくてすみ、経済性、環境への影響など種々の点でメリットが大きい。散布量は、用いられる農薬活性成分の活性などを考慮して適宜決めることができるが、例えばクロルピクリンを農薬活性成分として用いるの場合は、クロルピクリンが１０アール当り２．５〜３０リットル、好ましくは５〜３０リットル散布されるように散布量を調整するのが好ましい。
【００３２】
本発明のクロルピクリン乳剤はクロルピクリンの分解防止剤を含有する。クロルピクリンの分解防止剤としては、例えばブチルハイドロキシトルエン、ブチル化ヒドロキシアニソールのような酸化防止剤、エポキシ化グリセライド〔例えばニューカルゲン８００｛エポキシ化大豆油、竹本油脂（株）製｝〕やエポキシ化アマニ油等のエポキシ化植物油、ジイソプロピルホスフェートなどが挙げられるが、エポキシ化グリセライドが好ましい。また、クロルピクリンとエポキシ化グリセライドの使用割合は、通常、重量比でそれぞれ２〜１００：１である。
【００３３】
このクロルピクリン乳剤には、界面活性剤や溶剤を添加してもよい。界面活性剤としては、例えばポリオキシエチレンとポリオキシエチレンのブロックポリマー、ポリオキシエチレンオクチルエーテル、ポリオキシエチレンドデシルエーテル、ポリオキシエチレンオレイルエステル、ポリオキシエチレンノニルフェニルエーテル、ポリオキシエチレンソルビタンモノオレート等の非イオン界面活性剤、ドデシルベンゼンスルフォン酸金属塩（以下、Ｎａ塩、Ｃａ塩等のアルカリ金属塩、アルカリ土類金属を示す）、オレイン酸ナトリウム等の脂肪酸の金属塩、ジアルキルスルホコハク酸エステル、ナフタレンスルホン酸重縮合物の金属塩、アルキルナフタレンスルホン酸金属塩、ポリカルボン酸金属塩、ポリオキシエチレンアルキルフェニルエーテルサルフェート金属塩、特殊ポリカルボン酸型高分子界面活性剤等の陰イオン界面活性剤などが挙げられる。
【００３４】
これらは１種あるいは２種以上を、使用する活性成分や溶剤に合わせて使用できるが、これらに限定されるものではない。例えば、陰イオン界面活性剤（ドデシルベンゼンスルフォン酸金属塩）と非イオン界面活性剤（ポリオキシアルキレンアリルフェニルエ−テル）を組み合わせたものを用いることもできる〔０００６３ＴＸ｛竹本油脂（株）製｝〕。農薬活性成分１重量部に対し、界面活性剤を０.０１重量部以上用いるのが好ましい。
【００３５】
溶剤としては、例えば上記００１６項に記載の有機溶媒を用いることができる。またその使用割合は、通常、農薬活性成分１重量部に対して、有機溶媒は０.０５〜０.９重量部を用いる。
【００３６】
クロルピクリン乳剤を使用して本発明の方法を実施するには、該クロルピクリン乳剤を、使用する潅水チューブの体積に応じた倍率の水とともに、例えば該乳剤の使用容量の５倍以上の水ととも潅水チューブを介して散布すればよい。倍率は、例えば１０〜１０００倍程度がより好ましい。
【００３７】
【実施例】
次に実施例を示し、本発明を更に詳細に説明する。本発明がこれらのみに限定されるものではない。なお実施例２、１０、１１、１２、１３、１４、１５、１６は、それぞれ参考例である。
【００３８】
実施例１
０．８ｍ×１２．５ｍの圃場の土壌表面に、先端部を閉じた灌水チューブ（スミサンスイマルチ１００−３｛住友化学工業（株）製｝を穴を上向きにして中央部に敷設した。土壌ふすま培地で６０日間培養したトマト萎凋病菌汚染土壌を乾土で１０ｇ相当量をガーゼで包み、圃場の中央部から直角に３５〜４０ｃｍの位置に土壌深度２０、３０ｃｍの部位に埋め込んだ。次に、圃場全体をポリエチレンフィルム（厚み；５０μｍ、酸素ガス透過度；３９５０ｃｃ／平方メートル・ｈｒ・ａｔｍ）で全体を被覆した。
クロルピクリン８０部（重量部）と界面活性剤の０００６３ＴＸ｛竹本油脂（株）製｝２０部（重量部）で作製した８０％クロルピクリン乳剤（１５０ｍｌ）を農薬とし、噴霧器のホースに取り付けたアスピレターに水２０リットル流すとともに農薬を吸引し、約５分間でなくなるように灌水チューブに通して、散布を行った。２週間後に被覆フィルムを剥いで土壌深度２０、３０ｃｍに埋め込んだ試料を取り出し、希釈平板法にて７日間２５℃で培養し、培地上に形成されたコロニー数を数え、乾土１ｇ当たりのトマト萎凋病菌数を算出した。その結果を表１に示す。
【００３９】
対照例１
土壌ふすま培地で６０日間培養したトマト萎凋病菌汚染土壌を乾土で１０ｇ相当量をガーゼで包み、１．５ｍ×１．８ｍの圃場の中央部に土壌深度２０、３０ｃｍの部位に埋め込んだ。次に、クロルピクリンを３ｍｌずつ約３０ｃｍ間隔に深さ１５ｃｍの深度で合計８１ｍｌ（３０リットル／１０ａ）土壌に注入し（１０，０００箇所／１０アールに相当）、ポリエチレンフィルム（厚み；５０μｍ、酸素ガス透過度；３９５０ｃｃ／平方メートル・ｈｒ・ａｔｍ）で全面を被覆した。２週間後に被覆フィルムを剥いで土壌深度２０、３０ｃｍに埋め込んだ試料を取り出し、希釈平板法にて７日間２５℃で培養し、培地上に形成されたコロニー数を数え、乾土１ｇ当たりのトマト萎凋病菌数を算出した。
【００４０】
0004526054.tif 000002
【００４１】
以上のように表１によれば無処理に比較して、実施例１ではトマト萎凋病菌を効率的に防除できた。また、対照例１はクロルピクリン剤を１０アール当たり３０リットル相当量になるように土壌に処理するが、実施例１では、薬量を１／２にしても対照例１に比べ同等の防除効果で良好であった。
また、対照例１は農薬の処理時に目や鼻に刺激があり、防毒マスクや保護めがねを必要とし、また農薬剤処理箇所数が多いので作業に手間が掛かった。一方、実施例１では、防毒マスクなどを必要とせず、作業性も良好で省力的かつ簡便で短時間に農薬散布ができた。
【００４２】
実施例２
０．８ｍ×１２．５ｍの圃場の土壌表面に、先端部を閉じた灌水チューブ（エバフローＡ−１００型｛三井化学プラスチック（株）製｝を穴を上向きにして中央部に敷設しポリエチレンフィルム（厚み；５０μｍ、酸素ガス透過度；３９５０ｃｃ／平方メートル・ｈｒ・ａｔｍ）で全体を被覆した後、被覆材に灌水チューブの散水孔分部（４０ｃｍ間隔）にあわせて穴を開け茄子を植え付け、３本の茄子にワタアブラムシ各２０頭を接種した後アドマイヤーフロアブル剤の１０００倍稀釈液の２０リットルの灌水チューブを通じて散布し１０日間後にアブラムシの寄生虫数を調査した。その結果を表２に示す。
【００４３】
対照例２
０．８ｍ×１２．５ｍの圃場の土壌表面にポリエチレンフィルム（厚み；５０μｍ、酸素ガス透過度；３９５０ｃｃ／平方メートル・ｈｒ・ａｔｍ）で全体を被覆した後、被覆材に４０ｃｍ間隔に穴を開け茄子を植え付けるために土を掘り、その掘った穴にアドマイヤー粒剤を２ｇ植え穴処理し茄子の苗を移植・散水した後、３本の茄子にワタアブラムシを２０頭を接種し１０日後にワタアブラムシの寄生虫数を調査した。その結果を表２に示す。この表から明らかなように、無処理に比較して、実施例２はワタアブラムシを効率的に防除し、対照例２と同等の効果であった。また、実施例２は対照例２に比べ作業性も良好で省力的かつ簡便で短時間に農薬散布ができた。
【００４４】
0004526054.tif 000003
【００４５】
実施例３
０．８ｍ×１２．５ｍの圃場の土壌表面に、先端部を閉じた灌水チューブ（スミサンスイマルチ１００−３｛住友化学工業（株）製｝を穴を上向きにして中央部に敷設しポリエチレンフィルム（厚み；５０μｍ、酸素ガス透過度；３９５０ｃｃ／平方メートル・ｈｒ・ａｔｍ）で全体を被覆した後、被覆材に穴を開け茄子を植え付け、作物収穫後（植え付けから４ヶ月後）に、クロルピクリン８０部（重量部）と界面活性剤の０００６３ＴＸ｛竹本油脂（株）製｝２０部（重量部）で作製した８０％クロルピクリン乳剤（１５０ｍｌ）を噴霧器のホースに取り付けたアスピレターに水２０リットル流すとともに吸引し、約５分間でなくなるように灌水チューブに通して散布した。１週間後に除草効果を調査した。その結果を表３に示す。
対照例３
１．５ｍ×１．８ｍの圃場の土壌表面に、ポリエチレンフィルム（厚み；５０μｍ、酸素ガス透過度；３９５０ｃｃ／平方メートル・ｈｒ・ａｔｍ）で全体を被覆した後、被覆材に４０ｃｍ間隔の２列に穴を開け茄子の苗８本を植え付け、作物収穫後（植え付けから４ヶ月後）に、クロルピクリンを３ｍｌずつ約３０ｃｍ間隔に深さ１５ｃｍの深度で合計８１ｍｌ（３０リットル／１０ａ）土壌に注入（１０，０００箇所／１０アールに相当）し、１週間後に除草効果を調査した。その結果を表３に示す。この表から明らかなように、実施例３は対照例３と同等の除草効果を示した。また、対照例３では潅注器への薬液の投入や土壌潅注時に目や鼻に刺激があり、防毒マスクや保護めがねを必要とした。一方、実施例３では刺激性などを感じることがなかった。なお、実施例３および対照例３で用いた農薬は長期間にわたりセンチュウ効果を維持することができる農薬である。
以上のように表３によれば実施例で得られた結果は、簡便にかつ衛生的に土壌中に処理でき、除草効力は十分維持され極めて実用的であった。
【００４６】
0004526054.tif 000004
【００４７】
実施例４
１．８ｍ×５０ｍの圃場の土壌表面に、先端部を閉じた灌水チューブ（強力Ｐ．Ｅ灌水チューブ、厚さ０．１２ｍｍ、巾５０ｍｍ、ピッチ１０，針穴｛三井化学プラスチック（株）製｝を敷設した（灌水チューブの体積約８０リットル）。土壌ふすま培地で６０日間培養したトマト萎凋病菌汚染土壌を乾土で１０ｇ相当量をガーゼで包み、薬剤投入口側から４９ｍ（先端部から１ｍ手前）の中央部（Ｃ地点）、圃場の中央部（Ｂ地点、薬剤投入口（手前側）から２５ｍの中央部）、薬剤投入口側から１ｍ中央部（Ａ地点）の３カ所に土壌深度２０、３０ｃｍの部位に埋め込んだ。次に、圃場全体をポリエチレンフィルム（厚み；５０μｍ、酸素ガス透過度；３９５０ｃｃ／平方メートル・ｈｒ・ａｔｍ）で全体を被覆した。
クロルピクリン８０部（重量部）と界面活性剤の０００６３ＴＸ｛竹本油脂（株）製｝２０部（重量部）で作製した８０％クロルピクリン乳剤（２７００ｍｌ）を農薬とし、灌水ポンプの排水口ホースに取り付けた液肥混入機（スミチャージ４０｛住友化学工業（株）製｝に水１６０リットル（灌水チューブ体積の約２倍）流すとともに農薬を吸引し約２分２０秒間でなくなるように灌水チューブに通した後、更に水２００リットル（灌水チューブの体積の約２．５倍）流し散布を行った。２週間後に被覆フィルムを剥いで土壌深度３０ｃｍに埋め込んだ試料を取り出し、希釈平板法にて７日間２５℃で培養し、培地上に形成されたコロニー数を数え、乾土１ｇ当たりのトマト萎凋病菌数を算出した。その結果を表４に示す。
【００４８】
実施例５
実施例４の８０％クロルピクリン乳剤（以下の実施例、対象例では単に「農薬」という）２７００ｍｌに水２７００ｍｌを加え２倍稀釈にした後、水１６０リットル（灌水チューブ体積の約２倍）共に約２分２０秒間でなくなるように灌水チューブに通した、更に水２００リットルを流し散布を行った以外は実施例４と同じ方法で土壌燻蒸を行った。
【００４９】
実施例６
農薬２７００ｍｌに水５４００ｍｌを加え３倍稀釈にした後、水２４０リットル（灌水チューブ体積の約３倍）共に約３分４５秒間でなくなるように灌水チューブに通した、更に水２００リットル（灌水チューブの体積の約２．５倍）を流し散布を行った以外は実施例４と同じ方法で土壌燻蒸を行った。
【００５０】
実施例７
農薬２７００ｍｌの内２７０ｍｌ（農薬の１０％）を水８０リットル（灌水チューブ体積の約１倍）共に農薬を約１０秒間でなくなるように灌水チューブに通し、残りの農薬２４３０ｍｌ（農薬の９０％）を水１００リットル共に２分１０秒で流し散布を行った後、水１８０リットル流した以外は実施例４と同じ方法で土壌燻蒸を行った。
【００５１】
対照例４
農薬２７００ｍｌを水８０リットル（灌水チューブ体積の約１倍）共に約１分１５秒間でなくなるように灌水チューブに通した、更に水２８０リットルを流し散布を行った以外は実施例４と同じ方法で土壌燻蒸を行った。
【００５２】
対照例５
水８０リットル（灌水チューブ体積の約１倍）灌水チューブに通した後、水８０リットル共に農薬を約１分１５秒間でなくなるように灌水チューブに通した、更に水２００リットルを流し散布を行った以外は実施例４と同じ方法で土壌燻蒸を行った。
【００５３】
対照例６
土壌ふすま培地で６０日間培養したトマト萎凋病菌汚染土壌を乾土で１０ｇ相当量をガーゼで包み、１．５ｍ×１．８ｍの圃場の中央部に土壌深度２０、３０ｃｍの部位に埋め込んだ。次に、クロルピクリンを３ｍｌずつ約３０ｃｍ間隔に深さ１５ｃｍの深度で合計８１ｍｌ（３０リットル／１０ａ）土壌に注入し（１０，０００箇所／１０アールに相当）、ポリエチレンフィルム（厚み；５０μｍ、酸素ガス透過度；３９５０ｃｃ／平方メートル・ｈｒ・ａｔｍ）で全面を被覆した。２週間後に被覆フィルムを剥いで土壌深度２０、３０ｃｍに埋め込んだ試料を取り出し、希釈平板法にて７日間２５℃で培養し、培地上に形成されたコロニー数を数え、乾土１ｇ当たりのトマト萎凋病菌数を算出した。
【００５４】
0004526054.tif 000005
【００５５】
実施例４、５、６、７のように農薬を灌水チューブの体積の約２倍以上の水に稀釈して、総量で灌水チューブの約４．５倍以上で散布するように農薬を処理すると灌水チューブの先端部、中間部、手前側部（液肥混入機近部）の３カ所の効力が安定し、対照例６と同等の効果があった。一方、対照例４のように灌水チューブの体積と同程度の水で農薬を処理すると液肥混入機の付近は効力が弱くなる。また、対照例５のように農薬を処理する前に灌水チューブの中に水を注入すると灌水チューブの先端部の効力が弱くなる。
また、対照例６では潅注器への薬液の投入や土壌潅注時に目や鼻に刺激があり、防毒マスクや保護めがねを必要とした。一方、実施例４〜７では刺激性などを感じることがなかった。
以上のように実施例４〜７は簡便にかつ衛生的に土壌中に処理でき、除草効力は十分維持され極めて実用的であった。
【００５６】
実施例１０
１００ｍｌの無色透明共栓付き三角フラスコにクロルピクリン８０部（重量部）、０００６３ＴＸ｛竹本油脂（株）製｝１５部（重量部）、ニューカルゲン８００｛竹本油脂（株）製、エポキシ化大豆油｝５部（重量部）を混合した８０％クロルピクリン乳剤を得た。
【００５７】
実施例１１
１００ｍｌの無色透明共栓付き三角フラスコにクロルピクリン８０部（重量部）、０００６３ＴＸ｛竹本油脂（株）製｝１９部（重量部）、ニューカルゲン８００｛竹本油脂（株）製｝１部（重量部）を混合した８０％クロルピクリン乳剤を得た。
【００５８】
対照例５
１００ｍｌの無色透明共栓付き三角フラスコにクロルピクリン８０部（重量部）、０００６３ＴＸ｛竹本油脂（株）製｝２０部（重量部）を混合した８０％クロルピクリン乳剤を得た。
【００５９】
実施例１２
１００ｍｌの無色透明共栓付き三角フラスコにクロルピクリン８０部（重量部）、ニューカルゲン８００｛竹本油脂（株）製｝２０部（重量部）を混合した８０％クロルピクリン燻蒸剤を得た。
【００６０】
実施例１３
１００ｍｌの無色透明共栓付き三角フラスコにクロルピクリン８０部（重量部）、灯油１５部（重量部）、ニューカルゲン８００｛竹本油脂（株）製｝５部（重量部）を混合した８０％クロルピクリン燻蒸剤を得た。
【００６１】
実施例１４
１００ｍｌの無色透明共栓付き三角フラスコにクロルピクリン８０部（重量部）、灯油１９部（重量部）、ニューカルゲン８００｛竹本油脂（株）製｝１部（重量部）を混合した８０％クロルピクリン燻蒸剤を得た。
【００６２】
対照例６
１００ｍｌの無色透明共栓付き三角フラスコにクロルピクリン８０部（重量部）、灯油２０部（重量部）を混合した８０％クロルピクリン燻蒸剤を得た。
【００６３】
実施例１５
１００ｍｌの無色透明共栓付き三角フラスコにクロルピクリン９５部（重量部）、ニューカルゲン８００｛竹本油脂（株）製｝５部（重量部）を混合した９５％クロルピクリン燻蒸剤を得た。
【００６４】
実施例１６
１００ｍｌの無色透明共栓付き三角フラスコにクロルピクリン９９部（重量部）、ニューカルゲン８００｛竹本油脂（株）製｝１部（重量部）を混合した９９％クロルピクリン燻蒸剤を得た。
【００６５】
対照例７
１００ｍｌの無色透明共栓付き三角フラスコにクロルピクリン燻蒸剤を５０部（重量部）を入れ試料を作製した。
【００６６】
クロルピクリン剤の光安定性試験方法と調査方法
実施例及び対照例を１００ｍｌ共栓付き三角フラスコに２０ｇ入れ屋外に放置し経過時間後に三角フラスコ内にｐＨ紙試験紙入れ気中のｐＨを３０分後と１時間後に調査した。２時間放置後に三角フラスコの中に鉄釘を入れ錆の状態を１時間後と１日後に調査した結果を表５に示す。
ｐＨの測定に用いた試験紙：ブックｐＨ試験紙｛東洋濾紙（株）製｝を使用した。
錆の状況：錆びの発生がかなりあるを「＋＋」、発生があるを「＋」、発生がないを「−」としてそれぞれ示した。
【００６７】
0004526054.tif 000006
【００６８】
表６によれば実施例のエポキシ化大豆油（ニューカルゲン８００）を添加したものは、はいずれも対照例に比べｐＨの下がりかたが少ない傾向であった。また、鉄釘へのｐＨ低下による錆も少ないことから散布機や容器への錆の発生が抑制されことにより、錆による散布時の灌水チューブへの目図まりや機器・容器などの破損がなく円滑に散布することができる。
【００６９】
【発明の効果】
本発明によると、収穫後の栽培植物に農薬、特に除草剤、を農薬の刺激などをほとんど感ずることなく安全にかつ簡便に散布することができ、その結果栽培植物を枯死させ、その後自然乾燥させることにより、枯死した栽培植物の重量が減少し、栽培用施設からの除去が容易にでき、さらに雑草及び病害虫の防除が併せて可能になる。